(57)【要約】【課題】消費電力が抑制され、安定に駆動するプラズマディスプレイパネルを提供する。【解決手段】帯状のアドレス電極と、誘電体で覆われた表示用電極と、前記表示用電極に抵抗体を介して電圧を印加する、前記アドレス電極に直交する方向に延伸する帯状の電極母線と、前記アドレス電極と前記表示用電極の間に形成される放電空間と、を有するプラズマディスプレイパネル。【選択図】図２
2008123736.tif 000002
【特許請求の範囲】
【請求項１】
帯状のアドレス電極と、
誘電体で覆われた表示用電極と、
前記表示用電極に抵抗体を介して電圧を印加する、前記アドレス電極に直交する方向に延伸する帯状の電極母線と、
前記アドレス電極と前記表示用電極の間に形成される放電空間と、を有するプラズマディスプレイパネル。
【請求項２】
前記電極母線は２本で一組となるように構成されるとともに、前記表示用電極は当該電極母線と対応して２つで一組となるように構成され、
前記抵抗体は、前記電極母線と前記表示用電極の接続の２つの組み合わせのうち、少なくとも１つの間にそれぞれ挿入されることを特徴とする請求項１記載のプラズマディスプレイパネル。
【請求項３】
前記電極母線は２本で一組となるように構成されるとともに、前記表示用電極は当該電極母線と対応して２つで一組となるように構成され、
前記抵抗体は、前記アドレス電極の延伸する方向に帯状に形成されて前記電極母線とは複数のブランチで接続されるとともに、前記複数の表示用電極と接続されていることを特徴とする請求項１記載のプラズマディスプレイパネル。
【請求項４】
前記抵抗体と前記表示用電極の間に、該抵抗体と該表示用電極の電気的な接続を良好とするための接続層を設けたことを特徴とする請求項１乃至３のいずれか１項記載のプラズマディスプレイパネル。
【発明の詳細な説明】
【技術分野】
【０００１】
本発明はプラズマディスプレイパネルに関し、特に消費電力を抑制したプラズマディスプレイパネルに関する。
【背景技術】
【０００２】
大画面で、かつ高精細な表示が可能な表示装置として、プラズマディスプレイパネル（以下文中ＰＤＰと表記する）が広く用いられている。ＰＤＰは、大画面化が容易なこと、表示品質がよいこと、また、液晶ディスプレイと比べた場合に視野角が広いなどの特長を有している。
【０００３】
ＰＤＰの動作原理の概要は、表示セルと呼ばれる、例えば希ガスからなる封入ガスが封入された放電空間で放電を起こすことによって希ガスの粒子を励起し、その光学的遷移によって生じる紫外線によって蛍光体を励起し、当該蛍光体からの可視光を表示発光に利用するものである。
【０００４】
図１は、従来の交流（ＡＣ）駆動型のＰＤＰの一例である、ＰＤＰ１０の構造の一部を模式的に示した断面斜視図である。
【０００５】
図１を参照するに、ＰＤＰ１０では、放電空間１６を挟んで、ガラス基板からなる前面基板１７と背面基板１１が対向する形で配置されている。また、前面基板１７上の、背面基板１１に対向する側には表示用電極１８Ａ，１８Ｂが配置され、表示用電極１８Ａ，１８Ｂは、誘電体膜１９に覆われ、さらに誘電体膜１９が保護膜２０で覆われた構造となっている。このように、表示用電極は対をなす帯状の２つの電極で一組になるように構成され、例えば表示用電極１８Ａは走査電極、表示用電極１８Ｂは維持電極と呼ばれる場合がある。
【０００６】
一方、背面基板１１上の、前面基板１７に対向する側には表示用電極１８Ａ，１８Ｂに直交する方向に延伸する帯状の複数のアドレス電極１２が設けられており、これら複数のアドレス電極１２は互いに平行に配置され、またそれぞれのアドレス電極１２は誘電体膜１３によって覆われている。
【０００７】
さらに複数のアドレス電極１２を分離し、かつ放電空間１６を形成して、セルを分離する隔壁１４が誘電体膜１３上に設けられている。またアドレス電極１２上の誘電体膜１３の上から隔壁１４の側面にわたって、蛍光体膜１５が形成されている。図１に示すＰＤＰ１０の場合、カラー表示を可能にするために、前記隔壁１４を挟んで、例えば赤、緑、青の蛍光体膜１５が順に配置された構造になっている。
【０００８】
前記放電空間１６には不活性ガスからなる封入ガスが封入され、前記封入ガスは、例えばＨｅ，Ｎｅ，およびＡｒのうち、少なくともひとつと、Ｘｅの混合ガスからなる。
【０００９】
このような構造のＰＤＰ１０において、誘電体膜１３、１９は、放電によって生じた電荷を蓄積するために設けられている。
【００１０】
また、上記の構造においては、直交するアドレス電極１２と表示用電極１８Ａ，１８Ｂの交点に、表示にかかる発光が行われる１単位（１素子）である画素Ｐ１が形成される。当該画素Ｐの個数は任意であり、実際には多数の画素を組み合わせて大型表示装置であるＰＤＰが形成される。
【００１１】
上記のＰＤＰ１０では、放電空間１６で以下のように放電が行われることにより、表示が行われる。まず、表示電極１８Ａ，１８Ｂのリセット放電を全ての放電空間１６で行い、壁電荷（誘電体膜１３，１９に蓄えられる電荷）の状態を同じにする。
【００１２】
次に表示用電極１８Ａ（走査電極）の走査にあわせてアドレス電極１６に選択的に電圧を印加して放電空間１６においてアドレス放電を起こす。このアドレス放電により生じた電荷は、誘電体膜１３，１９に蓄えられることになる（壁電荷）。当該壁電荷により形成される電界は、放電空間１６に印加される電界とは逆極性となるため、放電空間１６内の電界が弱められて放電は直ちに停止することになる。
【００１３】
次に、２つの表示用電極１８Ａ，１８Ｂ間に電圧を印加することにより、放電空間１６で放電（維持放電）を生じさせ、また、当該維持放電の回数により、画像表示の階調を制御して、画像を表示することができる。また、上記の維持放電を発生させるために放電空間１６に印加される電圧は、誘電体膜の壁電荷のために、通常の放電開始電圧よりも低くてすむことになる。
【特許文献１】特開平８−２５００３０号公報
【発明の開示】
【発明が解決しようとする課題】
【００１４】
しかし、上記のようにアドレス放電後の壁電荷を利用して維持放電を生じさせる場合には、実際に放電空間１６にかかる電圧は、放電のために印加される電圧と壁電荷により形成される電圧とが重畳されるため、非常に高くなってしまう。例えば、上記のように維持放電時に放電空間にかかる電圧が高すぎる場合には、電流値が増大する異常放電（グロー放電）となり、ＰＤＰの発光効率が低下してしまう場合がある。
【００１５】
また、ＰＤＰを大型化する場合には、同時に電圧が印加される１ラインの画素数（放電が生じる素子数）が増大するためにＰＤＰ駆動のための回路電流値が増大する問題がある。このようなＰＤＰ大型化に係る問題に、さらに上記の電流値増大の問題が重畳すると、動作制御に係る素子（ＩＣなど）の駆動電圧が降下して、ＰＤＰ駆動の動作マージンが低下し、動作が不安定になる懸念があった。
【００１６】
例えば、上記の問題を解決するために、上記の特許文献１（特開平８−２５００３０号公報）に係る発明では、表示用電極（透明電極）と、表示用電極に電圧を印加するための電極母線（バス電極）との間の界面抵抗が、画素（素子）ごとに形成されるようにしている。すなわち、上記の発明は、当該界面抵抗が素子ごとに形成されることで、各々の素子に流れる電流が抑制されることをねらったものである。
【００１７】
しかし、上記の界面抵抗を形成する場合には、構造的に形成可能な抵抗値に制限があり、抵抗値を大きくすることが困難である問題がある。このため、電流低減効果が十分ではないと考えられる。また、界面抵抗を形成するにあたっては、形成される界面の形状や大きさに制限があり、抵抗値の制御の幅が狭い問題を有していた。
【００１８】
そこで、本発明では上記の問題を解決した、新規で有用なプラズマディスプレイパネルを提供することを統括的課題としている。
【００１９】
本発明の具体的な課題は、消費電力が抑制され、安定に駆動するプラズマディスプレイパネルを提供することである。
【課題を解決するための手段】
【００２０】
本発明は、上記の課題を、帯状のアドレス電極と、誘電体で覆われた表示用電極と、前記表示用電極に抵抗体を介して電圧を印加する、前記アドレス電極に直交する方向に延伸する帯状の電極母線と、前記アドレス電極と前記表示用電極の間に形成される放電空間と、を有するプラズマディスプレイパネルにより、解決する。
【００２１】
本発明によれば、消費電力が抑制され、安定に駆動するプラズマディスプレイパネルを提供することが可能となる。
【００２２】
また、前記電極母線は２本で一組となるように構成されるとともに、前記表示用電極は当該電極母線と対応して２つで一組となるように構成され、前記抵抗体は、前記電極母線と前記表示用電極の接続の２つの組み合わせのうち、少なくとも１つの間にそれぞれ挿入されるようにしてもよい。
【００２３】
また、前記電極母線は２本で一組となるように構成されるとともに、前記表示用電極は当該電極母線と対応して２つで一組となるように構成され、前記抵抗体は、前記アドレス電極の延伸する方向に帯状に形成されて前記電極母線とは複数のブランチで接続されるとともに、前記複数の表示用電極と接続されているようにしてもよい。
【００２４】
また、前記抵抗体と前記表示用電極の間に、該抵抗体と該表示用電極の電気的な接続を良好とするための接続層を設けてもよい。
【発明の効果】
【００２５】
本発明によれば、消費電力が抑制され、安定に駆動するプラズマディスプレイパネルを提供することが可能となる。
【発明を実施するための最良の形態】
【００２６】
本発明に係るＰＤＰは、帯状のアドレス電極と、誘電体で覆われた表示用電極と、前記表示用電極に抵抗体を介して電圧を印加する、前記アドレス電極に直交する方向に延伸する帯状の電極母線と、前記アドレス電極と前記表示用電極の間に形成される放電空間と、を有するＰＤＰである。
【００２７】
本発明に係るＰＤＰでは、上記の構成において、前記電極母線と前記表示用電極の間に、抵抗体が直列に挿入されていることが特徴である。したがって、上記のＰＤＰでは、表示用電極に流れる電流を効果的に抑制することが可能となり、ＰＤＰの消費電力を抑制することが可能となっている。また、電流が抑制されることでＰＤＰ駆動の印加電圧が抑制されるため、大型化された多素子のＰＤＰにおいても安定に駆動することが可能になる。
【００２８】
また、上記の構成においては、前記抵抗体の大きさ（厚さ、長さ、幅など）、や材質、もしくは材質の組み合わせなどを変更することで、挿入される抵抗値を容易に制御することが可能となっている。
【００２９】
次に、上記のＰＤＰの構成の具体的な例について、図面に基づき、以下に説明する。
【実施例１】
【００３０】
図２は、本発明の実施例１による交流（ＡＣ）駆動型のＰＤＰ１００の構造の一部を模式的に示した断面斜視図である。
【００３１】
図２を参照するに、ＰＤＰ１００では、放電空間１０６を挟んで、ガラス基板からなる前面基板１０７と背面基板１０１が対向する形で配置されている。また、背面基板１０１上の、前面基板１０７に対向する側には、複数の帯状のアドレス電極１０２が設けられており、これら複数のアドレス電極１０２は互いに平行に配置され、またそれぞれのアドレス電極１０２は誘電体膜１０３によって覆われている。
【００３２】
さらに複数のアドレス電極１０２を分離し、かつ放電空間１０６を形成して、セルを分離する隔壁１０４が誘電体膜１０３上に設けられている。またアドレス電極１０２上の誘電体膜１０３の上から隔壁１０４の側面にわたって、蛍光体膜１０５が形成されている。図２に示すＰＤＰ１００の場合、カラー表示を可能にするために、前記隔壁１０４を挟んで、例えば赤、緑、青の蛍光体膜１０５が順に配置された構造になっている。
【００３３】
一方で、前面基板１０７の、背面基板１０１に対向する側には表示用電極（透明電極）１０９Ａ，１０９Ｂと、表示用電極１０９Ａ，１０９Ｂにそれぞれ電圧を印加する電極母線（バス電極）１０８Ａ，１０８Ｂが形成されている。上記の電極母線１０８Ａ，１０８Ｂは、アドレス電極１０２と直交する方向に延伸するように帯状に複数形成されており、表示用電極１０９Ａ，１０９Ｂは、アドレス電極１０２と電極母線１０８Ａ，１０８Ｂとの交点に対応して複数形成される構造となっている。また、電極母線１０８Ａ，１０８Ｂは、２本で一組となるように形成され、同様に表示用電極１０９Ａ，１０９Ｂは２つで一組となるよう構成される。例えば表示用電極１０９Ａは走査電極、表示用電極１０９Ｂは維持電極と呼ばれる場合がある。また、このような構造は、３電極構造と呼ばれる場合がある。
【００３４】
本実施例によるＰＤＰ１００では、電極母線１０８Ａと、電極母線１０８Ａに接続される複数の表示用電極１０９Ａとの間に、それぞれ抵抗体１１０Ａが直列に挿入されていることが特徴である。また、同様に電極母線１０８Ｂと、電極母線１０８Ｂに接続される複数の表示用電極１０９Ｂとの間に、それぞれ抵抗体１１０Ｂが直列に挿入されている。
【００３５】
このため、ＰＤＰの表示動作に係る放電空間１０６での維持放電時に、表示用電極１０９Ａ，１０９Ｂに流れる電流が抑制される効果を奏する。また、このような電流抑制効果と、ＰＤＰの放電動作（表示動作）の詳細については後述する。
【００３６】
上記の電極母線１０８Ａ，１０８Ｂ、表示用電極１０９Ａ，１０９Ｂ、および抵抗体１１０Ａ，１１０Ｂは、誘電体膜１１１に覆われ、さらに誘電体膜１１１が保護膜１１２で覆われた構造となっている。
【００３７】
また、前記放電空間１０６には不活性ガスからなる封入ガスが封入され、前記封入ガスは、例えばＨｅ，Ｎｅ，およびＡｒのうち、少なくともひとつと、Ｘｅの混合ガスからなる。
【００３８】
上記のＰＤＰ１００において、誘電体膜１０３、１１１は、放電によって生じた電荷を蓄積するために設けられている。
【００３９】
また、図３（Ａ）は、図２に示したＰＤＰ１００を平面視した場合の、電極母線１０８Ａ，１０８Ｂ、表示用電極１０９Ａ，１０９Ｂ、抵抗体１１０Ａ，１１０Ｂ、アドレス電極１０２、および隔壁１０４の位置関係を模式的に示した図である。図３（Ｂ）は、図３（Ａ）のＹ−Ｙ’断面に相当し、前面基板１０７上に形成される、電極母線１０８Ａ，１０８Ｂ、表示用電極１０９Ａ，１０９Ｂ、抵抗体１１０Ａ，１１０Ｂ、誘電体膜１１１、および保護膜１１２を示した図である。ただし、先に説明した部分には同一の符号を付し、説明を省略する。
【００４０】
図３（Ａ）、（Ｂ）を参照するに、本実施例によるＰＤＰ１００では、アドレス電極１０２と電極母線１０８Ａ，１０８Ｂの交点に対応して表示用電極１０９Ａ，１０９Ｂ（走査電極、維持電極）が複数形成されていることがわかる。上記の構成において、アドレス電極１０２と２つの表示用電極１０８Ａ，１０８Ｂによって、表示動作用の放電が発生する１単位（１素子）である画素Ｐが構成される。また、隔壁１０４は、画素ごとに放電空間が分離されるように、アドレス電極１０２と直交する方向にも形成されるようにしてもよい。
【００４１】
この場合、アドレス電極１０２と、表示電極１０８Ａ，１０８Ｂとの間の放電空間１０６（図２に図示）の放電が制御されることにより、表示の制御が行われる。また、画素Ｐの個数は任意であり、実際にはアドレス電極と電極母線の交点に対応する多数の画素が組み合わせられて、大型表示装置であるＰＤＰが構成される。
【００４２】
上記のＰＤＰ１００では、放電空間１０６で以下のように放電が行われることにより、表示が行われる。まず、表示電極１０９Ａ，１０９Ｂのリセット放電を全ての放電空間１０６で行い、壁電荷（誘電体膜１０３，１１１に蓄えられる電荷）の状態を同じにする。
【００４３】
次に表示用電極１０９Ａ（走査電極）の走査にあわせてアドレス電極１０２に選択的に電圧を印加して放電空間１０６においてアドレス放電を起こす。このアドレス放電により生じた電荷は、誘電体膜１０３，１１１に蓄えられることになる（壁電荷）。当該壁電荷により形成される電界は、放電空間１０６に印加される電界とは逆極性となるため、放電空間１０６内の電界が弱められて放電は直ちに停止することになる。
【００４４】
次に、２つの表示用電極１０９Ａ，１０９Ｂ間に、それぞれ電極母線１０８Ａ，１０８Ｂを介して電圧を印加することにより、放電空間１０６で放電（維持放電）を生じさせ、また、当該維持放電の回数により、画像表示の階調を制御して、画像を表示することができる。また、上記の維持放電を発生させるために放電空間１０６に印加される電圧は、誘電体膜の壁電荷のために、通常の放電開始電圧よりも低くてすむことになる。
【００４５】
上記の維持放電時に実際に放電空間にかかる電圧は、印加される電圧と壁電荷により形成される電圧とが重畳されるために非常に高くなる。このため、例えば、従来のＰＤＰでは、異常グロー放電が発生して電流値がさらに増大し、ＰＤＰの発光効率が低下してしまう場合があった。また、このような放電電流の増大の問題は、ＰＤＰを大型化した場合には同時に電圧が印加される１ラインの画素数（放電が生じる素子数）が増えることでさらに深刻になり、消費電力の増大に加えてＰＤＰの安定駆動が困難となる懸念があった。
【００４６】
そこで、本実施例によるＰＤＰ１００では、電極母線１０８Ａと、電極母線１０８Ａに接続される複数の表示用電極１０９Ａとの間に、それぞれ抵抗体１１０Ａが直列に挿入されている。また、同様に複数の電極母線１０８Ｂと、電極母線１０８Ｂに接続される複数の表示用電極１０９Ｂとの間に、それぞれ抵抗体１１０Ｂが直列に挿入されている。
【００４７】
このため、ＰＤＰの表示動作に係る放電空間１０６での維持放電時に、表示用電極１０９Ａ，１０９Ｂに流れる電流が抑制される効果を奏する。このため、ＰＤＰの消費電力を抑制することが可能となる。
【００４８】
また、ＰＤＰを大型化して同時に電圧が印加される１ラインの画素数が増大した場合であっても、画素ごとに流れる電流が従来に比べて抑制されるために駆動側に係る負担が小さくなり、安定にＰＤＰを駆動することが可能となる。
【００４９】
また、本実施例によるＰＤＰでは、抵抗体１１０Ａ（１１０Ｂ）が、直列に表示用電極１０９Ａ（１０９Ｂ）と電極母線１０８Ａ（１０８Ｂ）の間に挿入されているため、抵抗値の制御性が良好となり、そのために画素に流れる電流値の制御性が良好となる特徴を有している。
【００５０】
例えば、特開平８−２５００３０号広報に開示された発明のように、実質的に電極母線と電極の界面抵抗のみで放電電流を制御しようとすると、抵抗値が十分でないために放電電流の抑制が困難となることが考えられる。また、界面抵抗を形成する場合の界面の形状や大きさに制限があり、抵抗値の制御の幅（電流値の制御の幅）が狭い問題があった。
【００５１】
一方で、本実施例では、図３（Ａ）、（Ｂ）に示すように、抵抗体１１０Ａ（１１０Ｂ）の幅Ｗ、長さＬ、および膜厚Ｔを変更することによって、抵抗体の抵抗値を様々に変更することが可能となっている。すなわち、本実施例の場合には、抵抗値（電流値）の制御の幅が広く、かつ容易である特徴を有している。
【００５２】
例えば、上記の幅Ｗ、長さＬ、および膜厚Ｔを調整し、抵抗体１１０Ａ、１１０Ｂの抵抗値をそれぞれ、５００ｋΩ乃至２０ＭΩとすることで、維持放電時の電流値を２０％以上低減することができる。
【００５３】
また、抵抗体１１０Ａ，１１０Ｂは、例えば、スクリーン印刷法や、または、感光材料とフォトリソグラフィ法を用いたパターンエッチングなどによって形成することが可能であるが、これらの方法に限定されず、様々な方法で形成することができる。
【００５４】
また、抵抗体１１０Ａ，１１０Ｂは、様々な材料を用いて形成することが可能であり、このような材料の変更や組み合わせによっても抵抗値（電流値）を制御することが可能である。例えば、電極母線１０８Ａ，１０８Ｂは金属（例えばＡｌ）より、表示用電極１０９Ａ，１０９Ｂは透明材料（例えばＩＴＯ）より構成されるが、抵抗体１１０Ａ，１１０Ｂは、これらの電極母線や表示用電極と異なる材料（例えば酸化ルテニウムなどのセラミック材料）により構成することができる。このように、抵抗体を構成する材料の変更によって、様々に抵抗体の抵抗値を制御することが可能である。
【実施例２】
【００５５】
また、図４（Ａ）、（Ｂ）は、本発明の実施例２によるＰＤＰを示す図である。ただし、図４（Ａ）、（Ｂ）は、実施例１の図３（Ａ）、（Ｂ）に相当し、先に説明した部分には同一の符号を付し、説明を省略するとともに、特に説明しない部分は実施例１の場合と同様とする。
【００５６】
図４（Ａ）、（Ｂ）を参照するに、本実施例の場合、実施例１に示した抵抗体１１０Ｂが省略された構造となっており、電極母線１０８Ｂと表示用電極１０９Ｂは直接接続された構造になっている。すなわち、本実施例では、電極母線と表示用電極の接続の２つの組み合わせのうち、１つの間にのみ抵抗体が挿入されている。
【００５７】
本実施例の場合においても、維持放電の電流低減効果を得ることが可能であり、ＰＤＰの低消費電力化とＰＤＰの安定駆動を実現することができる。
【実施例３】
【００５８】
また、図５は、本発明の実施例３によるＰＤＰを示す図である。ただし、図５は、実施例１の図３（Ａ）に相当し、先に説明した部分には同一の符号を付し、説明を省略するとともに、特に説明しない部分は実施例１の場合と同様とする。
【００５９】
図５を参照するに、本実施例の場合、実施例１に示した電極母線１０８Ａに相当する電極母線１０８ａは、アドレス電極１０２と平行な方向に向けて延伸するブランチ（突起部）１０８ｃを有するように形成されている。これらの複数のブランチ１０８ｃは、アドレス電極１０２が延伸する方向と直交する方向に延伸するように帯状に形成された抵抗体１１０ａに接続されている。さらに抵抗体１１０ａには、複数の表示用電極１０９Ａが接続された構造になっている。
【００６０】
同様に、実施例１に示した電極母線１０８Ｂに相当する電極母線１０８ｂは、アドレス電極１０２と平行な方向に向けて延伸するブランチ（突起部）１０８ｄを有するように形成されている。これらの複数のブランチ１０８ｄは、アドレス電極１０２が延伸する方向と直交する方向に延伸するように帯状に形成された抵抗体１１０ｂに接続されている。さらに抵抗体１１０ｂには、複数の表示用電極１０９Ｂが接続された構造になっている。
【００６１】
このように、表示用電極に電圧を印加する電極母線の形状や抵抗体の形状は、様々に変更することが可能である。例えば、本実施例に示すように、一つの抵抗体に対して複数の表示用電極が接続されるようにしてもよい。また、抵抗体は、２つの電極母線１０８ａ，１０８ｂのいずれかの側にのみ形成されるようにしてもよい。
【実施例４】
【００６２】
また、図６（Ａ）、（Ｂ）は、本発明の実施例４によるＰＤＰを示す図である。ただし、図６（Ａ）、（Ｂ）は、実施例１の図３（Ａ）、（Ｂ）に相当し、先に説明した部分には同一の符号を付し、説明を省略するとともに、特に説明しない部分は実施例１の場合と同様とする。
【００６３】
図６（Ａ）、（Ｂ）を参照するに、本実施例の場合、抵抗体１１０Ａと表示用電極１０９Ａの間に、抵抗体１１０Ａと表示用電極１０９Ａの電気的な接続を良好とするための接続層１１３Ａが設けられている。同様に、抵抗体１１０Ｂと表示用電極１０９Ｂの間に、抵抗体１１０Ｂと表示用電極１０９Ｂの電気的な接続を良好とするための接続層１１３Ｂが設けられている。
【００６４】
上記の接続層１１３Ａ（１１３Ｂ）は、例えば電極母線１０８Ａ（１０８Ｂ）と同じ材料よりなるが、当該接続層はこれに限定されず、他の様々な材料を用いて様々な形状で構成することができる。本実施例においては、上記の接続層１１３Ａ（１１３Ｂ）が設けられていることで、抵抗体１１０Ａ（１１０Ｂ）と表示用電極１０９Ａ（１０９Ｂ）の接触抵抗を低減するとともに、接触抵抗のばらつきを抑制することが可能となっている。このため、複数の画素における放電のばらつきを抑制して高品質なＰＤＰを構成することが可能となっている。
【００６５】
次に、上記の実施例１にかかる図３に示した構造を作成し、特性を調べた結果について説明する。例えば、図３に示した抵抗体１１０Ａ（１１０Ｂ）を、酸化ルテニウム（ＲｕＯ）で作成し、幅Ｗと長さＬをそれぞれ、７０μｍ、３００μｍとした場合、６乃至８メガオームの抵抗値を得ることができた。
【００６６】
また、上記の抵抗体を用いた場合（以下文中本実施例）と、当該抵抗体を用いない場合（以下文中従来例）の放電を比較した結果について、図７、図８を用いて説明する。図７は、放電時の時間経過における電流値の変化を示したものであり、図８は、本実施例と従来例の１）抵抗体の抵抗値、２）発光輝度、３）印加電圧をそれぞれ比較した図である。
【００６７】
図７を参照するに、電流値のピーク値（図７）と印加電圧（図８）は本実施例の方が高くなっているものの、発光輝度は、本実施例は従来例に比べて６８％増大していることがわかる。また、発光効率の算出に用いられる平均電流値で考えて比較した場合には、本実施例では従来例に比べて３６％低減されている。
【００６８】
上記を鑑み、パネルの発光効率を考えた場合には、効率値が発光輝度と比例関係、電流値及び印加電圧と反比例関係にある事から、本実施例では従来例に比べて６９％の発光効率改善が見込まれ、消費電力が低減されることがわかる。
【００６９】
以上、本発明を好ましい実施例について説明したが、本発明は上記の特定の実施例に限定されるものではなく、特許請求の範囲に記載した要旨内において様々な変形・変更が可能である。
【図面の簡単な説明】
【００７０】
【図１】従来のＰＤＰを示す図である。
【図２】実施例１によるＰＤＰを示す斜視断面図である。
【図３】（Ａ）、（Ｂ）は、実施例１によるＰＤＰの構成を示す図である。
【図４】（Ａ）、（Ｂ）は、実施例２によるＰＤＰの構成を示す図である。
【図５】実施例３によるＰＤＰの構成を示す図である。
【図６】（Ａ）、（Ｂ）は、実施例４によるＰＤＰの構成を示す図である。
【図７】放電時の時間経過における電流値を調べた結果を示す図である。
【図８】抵抗体の抵抗値、発光輝度、印加電圧を調べた結果を示す図である。
【符号の説明】
【００７１】
１０１  背面基板
１０２  アドレス電極
１０３  誘電体膜
１０４  隔壁
１０５  蛍光体
１０６  放電空間
１０７  背面基板
１０８Ａ，１０８Ｂ，１０８ａ，１０８ｂ  電極母線
１０８ｃ，１０８ｄ  ブランチ
１０９Ａ，１０９Ｂ  表示用電極
１１０Ａ，１１０Ｂ，１１０ａ，１１０ｂ，１１３Ａ，１１３Ｂ  抵抗体
１１１  誘電体膜
１１２  保護膜
【図１】
2008123736.tif 000003
【図２】
2008123736.tif 000004
【図３】
2008123736.tif 000005
【図４】
2008123736.tif 000006
【図５】
2008123736.tif 000007
【図６】
2008123736.tif 000008
【図７】
2008123736.tif 000009
【図８】
2008123736.tif 000010